【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
上部および下部を有する基部と、
前記基部内に位置決められたネジと、
第１の長さを有する開口中心部を形成する上部、下部および側部を有するジョーと、を備え、
前記基部が前記開口中心部内で前記ジョーの前記側部の間に位置決めされ、前記基部の前記下部が前記開口中心部内を伸び、前記基部の前記上部が前記ジョーの前記上部の上方を伸び、
前記基部が上部ブレードを有し、前記ジョーが下部ブレードを有し、前記上部ブレードが、前記ジョーの開口中心部内に伸びるように位置決めされ、前記下部ブレードが前記ジョーの端部に位置決めされ、
前記ネジが作動されるとき、前記ジョーが前記基部に対して摺動し、それによって、ロックアウトがサーキットブレーカのスイッチを取り囲むことを可能にするために、前記開口中心部の第１の長さを第２の長さへと減少する、
サーキットブレーカのロックアウト。
【請求項２】
前記上部ブレードが前記サーキットブレーカを係合するために前記基部の前記下部から伸び、前記上部ブレードは前記基部に対して垂直方向に位置決めされる、請求項１に記載のサーキットブレーカのロックアウト。
【請求項３】
前記下部ブレードが前記ジョーに対して角度を持って位置決めされる、請求項１に記載のサーキットブレーカのロックアウト。
【請求項４】
前記上部ブレードおよび前記下部ブレードは、サーキットブレーカを把持するために互いからオフセットされている、請求項１に記載のサーキットブレーカのロックアウト。
【請求項５】
前記上部ブレードが前記サーキットブレーカスイッチの自由端と係合し、前記下部ブレードが前記サーキットブレーカスイッチを前記サーキットブレーカのより近辺に係合する、請求項１に記載のサーキットブレーカのロックアウト。
【請求項６】
前記上部ブレードおよび前記下部ブレードが金属である、請求項１に記載のサーキットブレーカのロックアウト。
【請求項７】
前記ジョーが、前記ジョーの端部内に成形された歯をさらに備え、それによって前記歯が、前記ロックアウトが前記サーキットブレーカ上に位置決めされることを確実にする、請求項１に記載のサーキットブレーカのロックアウト。
【請求項８】
前記サーキットブレーカのロックアウトが、１極サーキットブレーカに設置される、請求項１に記載のサーキットブレーカのロックアウト。
【請求項９】
前記サーキットブレーカのロックアウトが、複数極サーキットブレーカに設置される、請求項１に記載のサーキットブレーカのロックアウト。
【請求項１０】
サーキットブレーカおよび該サーキットブレーカに固定されるサーキットブレーカのロックアウトであって、この組み合わせが、
スイッチを有するサーキットブレーカと、
上部および下部を有する基部を有するロックアウトと、前記基部内に位置決めされたネジと、第１の長さを有する開口中心部を形成する上部、下部および側部を有するジョーと、
を備え、
前記基部が前記開口中心部内で前記ジョーの前記側部の間に位置決めされ、前記基部の前記下部が前記開口中心部内を伸び、前記基部の前記上部が前記ジョーの前記上部の上方を伸び、
前記ジョーの開口中心部は、前記サーキットブレーカのスイッチを受容し、
前記ネジが作動されるとき、前記ジョーが前記基部に対して摺動し、それによって、前記開口中心部の第１の長さを第２の長さへと減少させて、前記基部および前記ジョーが前記サーキットブレーカのスイッチを取り囲むことを可能にする、
サーキットブレーカおよび該サーキットブレーカに固定されるサーキットブレーカのロックアウト。
【請求項１１】
前記基部が前記サーキットブレーカを係合するために前記基部の前記下部から伸びる上部ブレードを有し、前記上部ブレードは前記基部に対して垂直方向に位置決めされる、請求項１０に記載のサーキットブレーカおよび該サーキットブレーカのロックアウト。
【請求項１２】
前記ジョーが前記サーキットブレーカを係合するために下部ブレードを有し、前記下部ブレードが前記ジョーに対して角度を持って位置決めされる、請求項１０に記載のサーキットブレーカおよび該サーキットブレーカのロックアウト。
【請求項１３】
前記ジョーが前記開口中心部の開口部に位置する端部を有し、前記下部ブレードが前記ジョーの前記端部に位置決めされる、請求項１２に記載のサーキットブレーカおよび該サーキットブレーカのロックアウト。
【請求項１４】
前記基部が上部ブレードを有し、前記ジョーが下部ブレードを有し、前記上部ブレードおよび前記下部ブレードは、サーキットブレーカを把持するために互いからオフセットされている、請求項１０に記載のサーキットブレーカおよび該サーキットブレーカのロックアウト。
【請求項１５】
前記上部ブレードが前記開口中心部内を伸びるよう位置決めされ、前記下部ブレードが前記ジョーの端部で位置決めされ、前記上部ブレードが前記サーキットブレーカスイッチの自由端と係合し、前記下部ブレードが前記サーキットブレーカスイッチを前記サーキットブレーカにより近辺に係合する、請求項１４に記載のサーキットブレーカおよび該サーキットブレーカのロックアウト。
【請求項１６】
前記サーキットブレーカが１極サーキットブレーカであり、前記ロックアウトが閉じられたとき、前記上部ブレードおよび前記下部ブレードが前記１極サーキットブレーカのスイッチを係合する、請求項１４に記載のサーキットブレーカおよび該サーキットブレーカのロックアウト。
【請求項１７】
前記上部ブレードおよび前記下部ブレードが金属である、請求項１０に記載のサーキットブレーカおよび該サーキットブレーカのロックアウト。
【請求項１８】
前記ジョーが、前記ジョーの端部内に成形された歯をさらに備え、それによって前記歯が、前記ロックアウトが前記サーキットブレーカ上に位置決めされることを確実にする、請求項１０に記載のサーキットブレーカおよび該サーキットブレーカのロックアウト。
【請求項１９】
サーキットブレーカおよび該サーキットブレーカに固定されるサーキットブレーカのロックアウトであって、この組み合わせが、
スイッチを有するサーキットブレーカと、
上部および下部を有する基部を有するロックアウトと、前記基部内に位置決めされたネジと、第１の長さを有する開口中心部を形成する上部、下部および側部を有するジョーと、
を備え、
前記基部が前記開口中心部内で前記ジョーの前記側部の間に位置決めされ、前記基部の前記下部が前記開口中心部内を伸び、前記基部の前記上部が前記ジョーの前記上部の上方を伸び、
前記ネジが作動されるとき、前記ジョーが前記基部に対して摺動し、それによって、前記開口中心部の第１の長さを第２の長さへと減少させて、ロックアウトがサーキットブレーカのスイッチを取り囲むことを可能にし、
前記基部が上部ブレードを有し、前記ジョーが下部ブレードを有し、前記上部ブレードおよび前記下部ブレードは、サーキットブレーカを把持するために互いからオフセットされており、
前記サーキットブレーカが複数極サーキットブレーカであり、前記ジョーが、前記ジョーの端部内に成形された歯をさらに備え、前記ロックアウトが閉じられたとき、前記上部ブレードおよび前記歯が前記複数極サーキットブレーカのタイバーの後方に到達する、サーキットブレーカおよび該サーキットブレーカのロックアウト。
【手続補正２】
【補正対象書類名】図面
【補正対象項目名】図１
【補正方法】変更
【補正の内容】
【図１】
2015536525.tif 000001
【手続補正３】
【補正対象書類名】図面
【補正対象項目名】図２
【補正方法】変更
【補正の内容】
【図２】
2015536525.tif 000002
【手続補正４】
【補正対象書類名】図面
【補正対象項目名】図３
【補正方法】変更
【補正の内容】
【図３】
2015536525.tif 000003
【手続補正５】
【補正対象書類名】図面
【補正対象項目名】図４
【補正方法】変更
【補正の内容】
【図４】
2015536525.tif 000004
【手続補正６】
【補正対象書類名】図面
【補正対象項目名】図５
【補正方法】変更
【補正の内容】
【図５】
2015536525.tif 000005
【手続補正７】
【補正対象書類名】図面
【補正対象項目名】図６
【補正方法】変更
【補正の内容】
【図６】
2015536525.tif 000006
【手続補正８】
【補正対象書類名】図面
【補正対象項目名】図７
【補正方法】変更
【補正の内容】
【図７】
2015536525.tif 000007
【手続補正９】
【補正対象書類名】図面
【補正対象項目名】図８
【補正方法】変更
【補正の内容】
【図８】
2015536525.tif 000008
【手続補正１０】
【補正対象書類名】図面
【補正対象項目名】図９
【補正方法】変更
【補正の内容】
【図９】
2015536525.tif 000009
【手続補正１１】
【補正対象書類名】図面
【補正対象項目名】図１０
【補正方法】変更
【補正の内容】
【図１０】
2015536525.tif 000010